(57)【要約】【課題】ジュース等の液状異物が浸入しても、開閉動作が良好なバリアユニットを提供する。【解決手段】カバーの開口部周縁部に対して前記カバーの外周部の方が、カバー裏面と前記羽根との間隙を大きく設けることにより、ジュース等の液状異物が付着しても、液状異物とカバー裏面とは接触することがなく、動作不良の発生しないバリアユニットを実現する。【選択図】図６
2009198745.tif 000002
【特許請求の範囲】
【請求項１】
基盤と、開口部を持ち前記基盤に対向して基盤に設けられるカバーと、前記基盤と前記カバーとの間に設けられ、前記開口部に対して開閉自在に設けられた第1の羽根と第2の羽根と、を持つバリアユニットにおいて、
前記羽根と対向する前記カバーの面をカバー裏面と定義し、
前記第1の羽根の外形線と前記開口部の外形線との交点の内、前記第1の羽根の回動中心との距離が最も短いものを第1の羽根の第1交点とし、
前記第1の羽根の外形線と前記開口部の外形線との交点の内、前記第1の羽根の回動中心との距離が最も長いものを第1の羽根の第２交点とし、
前記第1の羽根の回動中心を中心として前記第1の羽根の第1交点を通る円の内側を第1の羽根の第1円領域とし、
前記第1の羽根の回動中心を中心として前記第1の羽根の第２交点を通る円の外側を第1の羽根の第２円領域とし、
前記第1の羽根の第1交点と前記第1の羽根の第２交点を結ぶ直線を第1の仮想線とし、
前記カバーを前記第1の仮想線で２分した時、前記第1の羽根が前記開口部を開閉する側を第1のカバー半域とし、
前記第１のカバー半域に対して前記第1の羽根の第1円領域及び前記第1の羽根の第２円領域と重ならない領域をカバー第1領域とし、
前記第２の羽根の外形線と前記開口部の外形線との交点の内、前記第２の羽根の回動中心との距離が最も短いものを第２の羽根の第1交点とし、
前記第２の羽根の外形線と前記開口部の外形線との交点の内、前記第２の羽根の回動中心との距離が最も長いものを第２の羽根の第２交点とし、
前記第２の羽根の回動中心を中心として前記第２の羽根の第1交点を通る円の内側を第２の羽根の第1円領域とし、
前記第２の羽根の回動中心を中心として前記第２の羽根の第２交点を通る円の外側を第２の羽根の第２円領域とし、
前記第２の羽根の第1交点と前記第２の羽根の第２交点を結ぶ直線を第２の仮想線とし、
前記カバーを前記第２の仮想線で２分した時、前記第２の羽根が前記開口部を開閉する側を第２のカバー半域とし、
前記第２のカバー半域に対して前記第２の羽根の第1円領域及び前記第1の羽根の第２円領域と重ならない領域をカバー第２領域とする時、
前記カバー第１領域および前記カバー第２領域におけるカバー裏面において、前記カバーの開口部周縁部に対して前記カバーの外周部の方が、前記カバー裏面と前記羽根との間隙が大きいことを特徴とするバリアユニット。
【請求項２】
前記カバー第１領域および前記カバー第２領域におけるカバー裏面において、前記カバーの開口部周縁部から前記カバーの外周部にいくに従い、前記カバー裏面と前記羽根との間隙が徐々に、もしくは段階的に大きくなることを特徴とする請求項１記載のバリアユニット。
【請求項３】
前記カバー裏面と前記羽根との間隙が大きくなる方向をカバー裏面高さが低いと定義する時、前記カバー第１領域および前記カバー第２領域におけるカバー裏面において、前記カバーの開口部周縁部から前記カバーの外周部にいくに従い、カバー裏面高さが徐々に、もしくは段階的に低くなることを特徴とする請求項１記載のバリアユニット。
【請求項４】
前記羽根の動作をガイドするガイド部が前記カバー裏面に設けられており、前記カバー第１領域および前記カバー第２領域におけるカバー裏面において、前記ガイド部以外のカバー裏面高さが、前記カバーの開口部周縁部から前記カバーの外周部にいくに従い、カバー裏面高さが徐々に、もしくは段階的に低くなることを特徴とする請求項１，２，３記載のバリアユニット。
【請求項５】
基盤と、開口部を持ち前記基盤に対向して基盤に設けられるカバーと、前記開口部に対して開閉自在に基盤とカバーの間に設けられた羽根と、を持つバリアユニットにおいて、前記羽根と対向する前記カバーの面をカバー裏面と定義する時、前記羽根を覆う前記カバーの範囲において、前記カバーの開口部周縁部に対して前記カバーの外周部の方が、カバー裏面と前記羽根との間隙が大きいことを特徴とするバリアユニット。
【請求項６】
カバー裏面と前記羽根との間隙が大きくなる方向をカバー裏面高さが低いと定義する時、前記羽根を覆う前記カバーの範囲において、前記カバーの開口部周縁部に対して前記カバーの外周部にいくに従い、カバー裏面高さが徐々に、もしくは段階的に低くなることを特徴とする請求項５記載のバリアユニット。
【請求項７】
前記羽根の動作をガイドするガイド部がカバー裏面に設けられており、前記羽根を覆う前記カバーの範囲において、前記カバーの開口部周縁部に対して前記カバーの外周部にいくに従い、カバー裏面高さが徐々に、もしくは段階的に低くなることを特徴とする請求項６記載のバリアユニット。
【請求項８】
基盤と、開口部を持ち前記基盤に対向して基盤に設けられるカバーと、前記開口部に対して開閉自在に基盤とカバーの間に設けられた羽根と、前記カバー裏面に設けられ前記羽根の先端部分をガイドする第１のガイド部と、前記カバー裏面に設けられ前記羽根の根元部分をガイドする第２のガイド部と、を持つバリアユニットにおいて、前記羽根と対向する前記カバーの面をカバー裏面と定義する時、前記カバー裏面の前記第１のガイド部と前記第２のガイド部で挟まれた範囲において、前記カバーの開口部周縁部に対して前記カバーの外周部の方が、カバー裏面と前記羽根との間隙が大きいことを特徴とするバリアユニット。
【請求項９】
カバー裏面と前記羽根との間隙が大きくなる方向をカバー裏面高さが低いと定義する時、前記カバー裏面の前記第１のガイド部と前記第２のガイド部で挟まれた範囲において、前記カバーの開口部周縁部に対して前記カバーの外周部にいくに従い、カバー裏面高さが徐々に、もしくは段階的に低くなることを特徴とする請求項８記載のバリアユニット。
【発明の詳細な説明】
【技術分野】
【０００１】
本発明は、スティルカメラやビデオムービーカメラのレンズ等を保護するために、使用されるバリアユニットに関するものである。
【背景技術】
【０００２】
特許文献１は、従来のバリアユニットを開示する。これによれば、2枚の同一形状の羽根を用いて良好な閉塞状態を得られるという効果がある。
【特許文献１】特開平５−２７３０１号公報
【発明の開示】
【発明が解決しようとする課題】
【０００３】
図１２，１３は、特許文献１に開示したような従来のバリアユニットにおける羽根とカバーの関係を示す断面模式図１，２である。ここでカバーと羽根と基盤以外の部品は、省略されている。また、ここでは、左右対称のため、右側の断面のみ図示されている。１はカバー、２，３は羽根、４は基盤である。４ｂは基盤に設けられた羽根ガイド部である。カバー裏面の高さは、カバーの開口部１３の周縁部１ａよりも、その外側１ｂで低くなり、さらにその外側１ｃでまた高くなる。カバー裏面と羽根との間隙は、カバーの開口部１３の周縁部１ａよりも、その外側１ｂで大きくなり、さらにその外側１ｃでまた少なくなる。
【０００４】
羽根の閉状態において、従来のバリアユニットに使用者が誤ってジュース等の液状異物を付着させた場合、図１２に示すように羽根とカバーの間隙部Ａ１に液状異物は容易に浸入する。間隙部Ａ１に浸入した液状異物は、使用者が拭き取ることはできずにその位置で乾燥し、体積が減少し、高粘度の液状異物Ｆとなる。高粘度の液状異物Ｆは体積が減少しているため、間隙部Ａ１では、カバー裏面１ａと接触することはない。この状態で使用者がカメラの電源を入れた場合、図１３に示すように、バリアユニットの羽根が開状態になろうとした時に、開口部１３の周縁部のカバー裏面１ａと、その外側のカバー裏面１ｂでは、液状異物Ｆとの間に隙間があり、羽根の動作が可能であったとしても、羽根のガタや平面度のばらつき等によって、羽根上の液状異物Ｆはカバー裏面１ｃと当接する可能性が高い。液状異物Ｆは高粘度であるため、カバー裏面１ｃと当接すると、羽根の動作を阻害し、羽根はその位置で開閉不能となり、カメラは使用不可能になるという課題を有していた。
【０００５】
図１４，１５は第２の従来のバリアユニットにおける羽根とカバーの関係を示す断面図１，２である。図１２，１３と同様にして、図１４で示す羽根開状態で付着、乾燥した液状異物Ｆは、図１５に示すようにバリアユニットの羽根が開状態になろうとした時に、カバー裏面の１ｂと当接し、羽根の動作を阻害し、羽根はその位置で開閉不能となり、カメラは使用不可能になるという課題を有していた。
【０００６】
図１６，１７は第３の従来のバリアユニットにおける羽根とカバーの関係を示す断面図１，２である。図１２，１３と同様にして、図１６で示す羽根開状態で付着、乾燥した液状異物Ｆは、図１７に示すようにバリアユニットの羽根が開状態になろうとした時に、設計上は、カバー裏面１ａ、１ｂの高さは同じであったとしても、羽根のガタや平面度のばらつき等によって、カバー裏面１ｂで、カバー裏面と羽根との間隙が減少すると、羽根上の液状異物Ｆとカバー裏面は当接し、羽根の動作を阻害し、羽根はその位置で開閉不能となり、カメラは使用不可能になるという課題を有していた。
【０００７】
本発明は上記従来の問題点を解決するもので、カバーの開口部周縁部に対して前記カバーの外周部の方が、カバー裏面と前記羽根との間隙を大きく設けることにより、ジュース等の液状異物が付着しても動作不良の発生しないバリアユニットを提供することを目的とする。
【課題を解決するための手段】
【０００８】
この目的を達成するために本発明のバリアユニットは、カバーの開口部周縁部に対して前記カバーの外周部の方が、カバー裏面と前記羽根との間隙を大きく設ける構成になっている。
【０００９】
この構成によって、ジュース等の液状異物が付着しても動作不良の発生しないバリアユニットを実現する。
【発明の効果】
【００１０】
本発明は上記従来の問題点を解決するもので、カバーの開口部周縁部に対して前記カバーの外周部の方が、カバー裏面と前記羽根との間隙を大きく設けることにより、ジュース等の液状異物が付着しても、カバー開口部周縁以外はカバーと羽根の間隙が徐々に、または段階的に大きく設けられているため、カバー周縁部の下で羽根上にて乾燥、高粘度化した液状異物とカバー裏面とは接触することがなく、動作不良の発生しないバリアユニットを実現する。
【発明を実施するための最良の形態】
【００１１】
（実施の形態１）
図１は、本発明のバリアユニットの部品構成を表す上面斜視図であり、図２は本発明のバリアユニットの部品構成を表す下面斜視図である。
【００１２】
図１、２において、１はカバーで、２は第１の羽根で、３は第２の羽根で、４は基盤で、５は第１のリングで、６は第２のリングで、７は第１のバネで、８は第２のバネである。４ｂは基盤４に設けられた羽根ガイド部である。１ｇはカバー１に設けられた羽根ガイド部である。第１及び第２の羽根２，３は、回転穴１５，１６によって基盤４上の軸９，１０に回転自在に取り付けられている。カバー１は、カバーに一体に弾性的に設けられたフック１１が基盤４に設けられたフックストッパー１２に係合することよって、第１、第２の羽根２，３を回動自在に所定の間隙をもってその間に挟み込んで基盤４と一体に取り付けられる。１３はカバー１に設けられた開口部である。第１及び第２のリング５，６は、基盤４の円筒部１４に回転自在に取り付けられる。第１のリング５に設けられたカムピン１９，２０は、第１及び第２の羽根に設けられた長穴１７，１８に係合し、羽根を回転駆動する。第１のバネ７は、第１のリング５のバネかけ部２１と第２のリング６のバネかけ部２２に張架される。第２のバネ８は、第２のリング６のバネかけ部２３と基盤４のバネかけ部２４に張架される。２５は第２のリング６に設けられたリング凸部であり、第１のリング５の切欠き部２６に挿入されて、組み立てられる。２７は基盤４に設けられた開口部である。２８は第２のリングに設けられたカム部であり、図示されない駆動手段によって、カム部２８が付勢されることによって、第１、第２の羽根２，３が閉方向（Ｂ方向）に、第２のリング６が駆動される。第１のバネ７によって第１、第２のリング５，６は一体となっており、第２のリング６が閉方向（Ｂ方向）にカム部２８によって駆動され、第１、第２の羽根２，３が閉じた後、さらに余裕をもって第２のリング６が閉方向に回転駆動させられた時、第１のバネ７は伸びて、第２のリング６の第１のリング５に対する行き過ぎ量を回避する。第２のバネ８によって第２のリング６が、開方向に付勢され、リング凸部２５、切欠き部２６を介して第１のリング５を駆動する。カムピン１９は、長穴１７を介して、第１の羽根２を開方向に付勢する。第１の羽根２は、ストッパー２９に押し付けられ、当接して止まる。
【００１３】
図３，4は、本発明のバリアユニットのカバーと羽根を示す平面模式図１，２である。図３,４では、第１の羽根２と第２の羽根３とカバー１とカバー１の裏面に設けられた羽根ガイド部１ｇのみが図示されている。
【００１４】
図３において、２は第１の羽根で、２ａは第1の羽根の回動中心で、２ｂは、第1の羽根２の外形線とカバー１の開口部１３の外形線との交点の内、第1の羽根の回動中心２ａとの距離が最も短いもので、この２ｂを第1の羽根の第1交点とし、２ｃは、第1の羽根２の外形線とカバー１の開口部１３の外形線との交点の内、第1の羽根の回動中心２ａとの距離が最も長いもので、この２ｃを第1の羽根の第２交点とし、第1の羽根の回動中心２ａを中心として第1の羽根の第1交点２ｂを通る円２ｄの内側を第1の羽根の第1円領域２ｅとし、第1の羽根の回動中心２ａを中心として第1の羽根の第２交点２ｃを通る円２ｆの外側を第1の羽根の第２円領域２ｇとし、第1の羽根の第1交点２ｂと第1の羽根の第２交点２ｃを結ぶ直線を第1の仮想線Ｌ１とし、カバー１を第1の仮想線Ｌ１で２分した時、第1の羽根２が開口部１３を開閉する側を第1のカバー半域２ｈとした時、ハッチングで示された範囲２ｉは、第１のカバー半域２ｈに対して第1の羽根の第1円領域２ｅ及び第1の羽根の第２円領域２ｇと重ならない領域である。
【００１５】
図4において、３は第２の羽根で、3ａは第2の羽根の回動中心で、3bは、第2の羽根3の外形線とカバー１の開口部１３の外形線との交点の内、第2の羽根の回動中心3ａとの距離が最も短いもので、この3ｂを第2の羽根の第1交点とし、3ｃは、第2の羽根3の外形線とカバー１の開口部１３の外形線との交点の内、第2の羽根の回動中心3ａとの距離が最も長いもので、この3ｃを第2の羽根の第２交点とし、第2の羽根の回動中心3ａを中心として第2の羽根の第1交点3ｂを通る円3ｄの内側を第2の羽根の第1円領域3ｅとし、第2の羽根の回動中心3ａを中心として第2の羽根の第２交点3ｃを通る円3ｆの外側を第2の羽根の第２円領域3ｇとし、第2の羽根の第1交点3ｂと第2の羽根の第２交点3ｃを結ぶ直線を第2の仮想線Ｌ2とし、カバー１を第2の仮想線Ｌ2で２分した時、第2の羽根3が開口部１３を開閉する側を第2のカバー半域3ｈとした時、ハッチングで示された範囲3ｉは、第2のカバー半域３ｈに対して第2の羽根の第1円領域3ｅ及び第2の羽根の第２円領域3ｇと重ならない領域である。
【００１６】
図５は、本発明のバリアユニットのカバーと羽根を示す平面模式図３である。図５では、第１の羽根２と第２の羽根３とカバー１とカバー１の裏面に設けられた羽根ガイド部１ｇのみが図示されている。図５において、１ｇ−１は、羽根先端をガイドする第１のガイド部で、１ｇ−２は、羽根根元をガイドする第２のガイド部である。ハッチングで示された範囲Ｊは、カバー裏面において、第１のガイド部１ｇ−１と第２のガイド部１ｇ−２で挟まれた領域である。
【００１７】
図６、７は、本発明のバリアユニットのカバーと羽根を示す断面模式図１，２で、カバー１の領域２ｉと３ｉ、およびカバー１の領域Ｊにおける断面を示している。ここでカバーと羽根と基盤以外の部品は、省略されている。また、ここでは、左右対称のため、右側の断面のみ図示されている。図６，７に示すように、カバー１の領域２ｉと３ｉまたは、Ｊにおいては、カバー裏面の高さは、開口部１３の周縁部のカバー裏面１ａよりも、その外側１ｂの方が低く、さらに外周部にいっても高くなることはない。カバー裏面と羽根との間隙は、カバーの開口部１３の周縁部１ａよりも、その外側１ｂで大きくなり、さらに外周部にいっても小さくなることはない。
【００１８】
羽根の閉状態において、本願のバリアユニットに使用者が誤ってジュース等の液状異物を付着させた場合、図６に示すように間隙部Ａ１に浸入した液状異物は、使用者が拭き取ることはできずにその位置で乾燥し、体積が減少し、高粘度の液状異物Ｆとなる。高粘度の液状異物Ｆは体積が減少しているため、間隙部Ａ１では、カバー裏面１ａと接触することはなく、この状態で使用者がカメラの電源を入れても、図７に示すように、開口部１３の周縁部１ａの外側のカバー裏面１では、カバー裏面１ｂの高さが低く、カバー裏面と羽根との間隙が間隙部Ａ１よりも大きく設けられているため、羽根のガタや平面度のばらつき等があっても、羽根上の液状異物Ｆはカバー裏面１ｂと当接することはなく、羽根の開閉動作は保障される。
（実施の形態２）
図８，９は本発明の実施の形態２のバリアユニットのカバーと羽根を示す断面模式図１，２で、カバー１の領域２ｉと３ｉ、およびカバー１の領域Ｊにおける断面を示している。図８、９において、カバー１の開口部１３の周縁部のカバー裏側１ａに対して、その外周部１ｂ、１ｃは外側に行くほど、カバー裏面と羽根との間隙は増えていく。図８に示す羽根閉状態で、間隙部Ａ１に浸入したジュース等の異物は、乾燥、高粘度化し、液状異物Ｆとなる。図９に示すように、羽根上の液状異物Ｆは、羽根の動作時にカバー裏面１ａ，１ｂ，１ｃと接触することなく、羽根の開閉動作は保障される。
【００１９】
（実施の形態３）
図１０，１１は本発明の第３の実施例のバリアユニットのカバーと羽根を示す断面模式図で、カバー１の領域２ｉと３ｉ、およびカバー１の領域Ｊにおける断面を示している。図１０，１１において、カバー１の開口部１３の周縁部のカバー裏側１ａに対して、その外周部１ｂは外側に行くほど、カバー裏面と羽根との間隙は増えていく。図１０に示す羽根閉状態で、間隙部Ａ１に浸入したジュース等の異物は、乾燥、高粘度化し、液状異物Ｆとなる。図１１に示すように、羽根上の液状異物Ｆは、羽根の動作時にカバー裏面１ａ，１ｂと接触することなく、羽根の開閉動作は保障される。
【００２０】
なお、本実施例においては、羽根は２枚であるとしたが、より多くの羽根を有するバリアユニットであっても、また、１枚の羽根を有するバリアユニットであってもよい。また、羽根は回動するとしたが、スライドして開閉動作を行ってもよい。
【産業上の利用可能性】
【００２１】
本発明は、スティルカメラやビデオムービーカメラのレンズ等を保護するために、使用されるバリアユニットに関するもので、バリアユニットのカバーに何らかの外力が加わり、その先端部が変形した時でも、先端部に設けた切り欠き部により羽根とカバーとの間隙を確保することにより、羽根の開閉動作を阻害することがなく、また、先端部にそれ以外よりも大きい角度を有する傾斜部を設けることにより、外力が加わっても変形のしにくいカバー先端部を持つ、堅牢で信頼性の高いバリアユニットを実現する。
【図面の簡単な説明】
【００２２】
【図１】本発明の実施の形態１のバリアユニットの部品構成を表す上面斜視図
【図２】本発明の実施の形態１のバリアユニットの部品構成を表す下面斜視図
【図３】本発明の実施の形態１のバリアユニットのカバーと羽根を示す平面模式図
【図４】本発明の実施の形態１のバリアユニットのカバーと羽根を示す平面模式図
【図５】本発明のバリアユニットのカバーと羽根を示す平面模式図
【図６】本発明のバリアユニットのカバーと羽根を示す断面模式図
【図７】本発明のバリアユニットのカバーと羽根を示す断面模式図
【図８】本発明のバリアユニットのカバーと羽根を示す断面模式図
【図９】本発明のバリアユニットのカバーと羽根を示す断面模式図
【図１０】本発明のバリアユニットのカバーと羽根を示す断面模式図
【図１１】本発明のバリアユニットのカバーと羽根を示す断面模式図
【図１２】従来のバリアユニットにおける羽根とカバーの関係を示す断面図
【図１３】従来のバリアユニットにおける羽根とカバーの関係を示す断面図
【図１４】従来のバリアユニットにおける羽根とカバーの関係を示す断面図
【図１５】従来のバリアユニットにおける羽根とカバーの関係を示す断面図
【図１６】従来のバリアユニットにおける羽根とカバーの関係を示す断面図
【図１７】従来のバリアユニットにおける羽根とカバーの関係を示す断面図
【符号の説明】
【００２３】
１    カバー
２    第１の羽根
３    第２の羽根
４    基盤
１３    カバーの開口部
１ａ    開口部周縁部のカバー裏面
１ｂ、１ｃ    開口部周縁部の外周部のカバー裏面
Ｆ    液状異物
【図１】
2009198745.tif 000003
【図２】
2009198745.tif 000004
【図３】
2009198745.tif 000005
【図４】
2009198745.tif 000006
【図５】
2009198745.tif 000007
【図６】
2009198745.tif 000008
【図７】
2009198745.tif 000009
【図８】
2009198745.tif 000010
【図９】
2009198745.tif 000011
【図１０】
2009198745.tif 000012
【図１１】
2009198745.tif 000013
【図１２】
2009198745.tif 000014
【図１３】
2009198745.tif 000015
【図１４】
2009198745.tif 000016
【図１５】
2009198745.tif 000017
【図１６】
2009198745.tif 000018
【図１７】
2009198745.tif 000019